(57)【要約】【課題】  出入口を通過しようとした非接触型情報記憶装置を所持しない人物に関する情報を取得することができる入退出管理システムを提供する。【解決手段】  監視領域内を撮影するカメラＣを有する画像監視装置１と、非接触型情報記憶装置に記憶されている個人識別情報を読み取る非接触型情報読取装置２と、画像情報記憶部３とを備えた入退出管理システム１００において、前記非接触型情報読取装置２が個人識別情報を読み取ることができない場合は前記カメラＣにより前記監視領域内を撮影し、撮影された画像を前記画像情報記憶部３に記憶すると共に警報信号を出力する。【選択図】  図１
2005085130.tif 000002
【特許請求の範囲】
【請求項１】
一定の監視領域内の人物を検知すると検知信号を出力する人物検知手段および前記監視領域内を撮影するカメラとを有する画像監視装置と、
非接触型情報記憶装置に記憶されている個人識別情報を前記検知信号に基づいて読み取る非接触型情報読取装置と、
前記非接触型情報読取装置で読み取られた個人識別情報および読み取り時刻とを記憶する入退出情報記憶部と、
前記カメラで撮影した画像を記憶する画像情報記憶部と、
個人識別情報を記憶している個人識別情報記憶部と、
表示手段を有する操作卓とを備え、
通信回線を介して外部端末に接続可能な入退出管理システムであって、
前記非接触型情報読取装置が個人識別情報を読み取った時、当該個人識別情報が前記個人識別情報記憶部に記憶されているものと一致するか否かを判断し、
一致している場合は当該個人識別情報を読み取り時刻と関連付けて前記入退出情報記憶部に記憶し、
一致していない場合は前記カメラにより前記監視領域内を撮影し、撮影された画像を前記画像情報記憶部に記憶すると共に警報信号を出力し、また読み取った個人識別情報を読み取り時刻と関連付けて前記入退出情報記憶部に記憶し、
前記非接触型情報読取装置が個人識別情報を読み取ることができない場合は前記カメラにより前記監視領域内を撮影し、撮影された画像を前記画像情報記憶部に記憶すると共に警報信号を出力し、また前記画像を前記表示手段および前記外部端末とに出力することを特徴とする入退出管理システム。    
【請求項２】
前記外部端末から個人識別情報を受信した場合、前記入退出情報記憶部に記憶されている前記個人識別情報と関連付けて記憶されている読み取り時刻を通信回線を介して前記外部端末へ送信することを特徴とする請求項1に記載の入退出管理システム。
【請求項３】
前記個人識別情報記憶部は個人識別情報と関連付けて記憶されている個人属性情報を含み、
前記外部端末から個人識別情報を受信した場合、前記入退出情報記憶部に記憶されている個人識別情報であって、それと関連付けて記憶されている読み取り時刻が前記受信した個人識別情報と関連付けて記憶されている読み取り時刻の前後の一定の範囲内にある個人識別情報を検索し、前記個人識別情報記憶部に当該個人識別情報と関連付けて記憶されている個人属性情報を通信回線を介して前記外部端末へ送信することを特徴とする請求項1に記載の入退出管理システム。
【発明の詳細な説明】
【技術分野】
【０００１】
本発明は、非接触型情報読取装置と画像監視装置を用いた入退出管理システムに関する。
【背景技術】
【０００２】
人物の出入する出入り口に非接触型情報読取装置を設置し、通過する人物が非接触型情報記憶装置を所持している場合はそこに記憶されている個人識別情報を読み取ってデータベースに記憶させ、また、その人物が非接触型情報記憶装置を所持しない場合は警報音を発したり、扉を閉鎖したりして通過を拒否する入退出管理システムが知られている。
【特許文献１】特開平６−１７６２７６
【発明の開示】
【発明が解決しようとする課題】
【０００３】
しかしながら、上記システムでは非接触型情報記憶装置を所持しない人物が出入り口を通過しようとした場合、通過を拒否する動作を行うのみで、その人物に関する情報を取得することはできない。本発明は斯かる実情に鑑みてなされたもので、出入口を通過しようとした非接触型情報記憶装置を所持しない人物に関する情報を取得することができる入退出管理システムを提供することを課題とする。
【課題を解決するための手段】
【０００４】
前記課題を解決するべく、本発明に係る入退出管理システムは、一定の監視領域内の人物を検知すると検知信号を出力する人物検知手段および前記監視領域内を撮影するカメラとを有する画像監視装置と、非接触型情報記憶装置に記憶されている個人識別情報を前記検知信号に基づいて読み取る非接触型情報読取装置と、前記非接触型情報読取装置で読み取られた個人識別情報および読み取り時刻とを記憶する入退出情報記憶部と、前記カメラで撮影した画像を記憶する画像情報記憶部と、個人識別情報を記憶している個人識別情報記憶部と、表示手段を有する操作卓とを備え、通信回線を介して外部端末に接続可能な入退出管理システムであって、前記非接触型情報読取装置が個人識別情報を読み取った時、当該個人識別情報が前記個人識別情報記憶部に記憶されているものと一致するか否かを判断し、一致している場合は当該個人識別情報を読み取り時刻と関連付けて前記入退出情報記憶部に記憶し、一致していない場合は前記カメラにより前記監視領域内を撮影し、撮影された画像を前記画像情報記憶部に記憶すると共に警報信号を出力し、また読み取った個人識別情報を読み取り時刻と関連付けて前記入退出情報記憶部に記憶し、前記非接触型情報読取装置が個人識別情報を読み取ることができない場合は前記カメラにより前記監視領域内を撮影し、撮影された画像を前記画像情報記憶部に記憶すると共に警報信号を出力し、また前記画像を前記表示手段および前記外部端末とに出力することを特徴とする入退出管理システムを提供するものである。
【０００５】
斯かる発明によれば、非接触型情報記憶装置に記憶されている個人識別情報を非接触型情報読取装置により非接触で読み取り、読み取った個人識別情報が個人識別情報記憶部に記憶されているものと一致すれば当該識別情報を読み取り時刻と関連付けて入退出情報記憶部に記憶する。一致しない場合はカメラにより監視領域内を撮影して当該領域内の人物の画像を画像情報記憶部に記憶し、読み取った個人識別情報を読み取り時刻と関連付けて入退出情報記憶部に記憶すると共に警報信号を出力して、読み取った個人識別情報が個人識別情報記憶部に記憶されているものと一致しなかったことを知らせる警報を発する。非接触型情報読取装置が個人識別情報を読み取ることができない場合は、カメラにより監視領域内を撮影して当該領域内の人物の画像を画像情報記憶部に記憶すると共に警報信号を出力して、個人識別情報を読み取ることができなかったことを知らせる警報を発する。この場合は更に前記人物の画像を操作卓の表示手段および外部端末とに出力して人物の画像を広範囲で閲覧できるようにすることができる。
【０００６】
また、本発明に係る入退出管理システムは、前記外部端末から個人識別情報を受信した場合、前記入退出情報記憶部に記憶されている前記個人識別情報と関連付けて記憶されている読み取り時刻を通信回線を介して前記外部端末へ送信するように構成される。
【０００７】
斯かる発明によれば、入退出管理システム外部の外部端末を用いて、入退出情報記憶部に記憶されている個人識別情報の内の所望のものの読み取り時刻を取出して当該外部端末に送信させることができる。
【０００８】
好ましくは、本発明に係る入退出管理システムは、前記個人識別情報記憶部は個人識別情報と関連付けて記憶されている個人属性情報を含み、前記外部端末から個人識別情報を受信した場合、前記入退出情報記憶部に記憶されている個人識別情報であって、それと関連付けて記憶されている読み取り時刻が前記受信した個人識別情報と関連付けて記憶されている読み取り時刻の前後の一定の範囲内にある個人識別情報を検索し、前記個人識別情報記憶部に当該個人識別情報と関連付けて記憶されている個人属性情報を通信回線を介して前記外部端末へ送信するように構成される。
【０００９】
斯かる発明によれば、本発明に係る入退出管理システムは、入退出管理システム外部の外部端末から個人識別情報を受信した場合、前記入退出情報記憶部に記憶されている個人識別情報の中から、前記受信した個人識別信号と相前後して読み取られたものを検索して抽出する。そして個人識別信号と関連付けて個人識別情報記憶部に記憶されている個人属性情報を前記外部端末に送信する。
【発明の効果】
【００１０】
以上のように、本発明に係る入退出管理システムによれば、画像監視装置と非接触型情報読取装置とを人物の出入口に設置することにより、その出入口を通過しようとした人物が非接触型情報記憶装置を所持しない場合はカメラによりその人の画像を撮影することができるため、その人物についての画像情報を取得することが可能になる。
【００１１】
また、通信回線を介して本システム外部の携帯電話１０などから、非接触型情報読取装置が特定の個人識別情報を読み取った時の時刻を知ることができる。即ち、本発明に係る入退出管理システムに係る画像監視装置と非接触型情報読取装置とを学校の校門に設置し各生徒が各自の個人識別情報を記憶した非接触型情報記憶装置を所持するようにすれば、各生徒の登下校の時刻を個人識別情報の読み取り時間として入退出情報記憶部に記憶させることができ、生徒の保護者は携帯電話１０によりその時刻を参照することにより、生徒が登校の途上にあるか、校内にいるか、或いは下校の途上にあるかを学校外から推測することが可能になる。
【００１２】
更に、保護者は子供の退出時刻の前後一定時間内に退出した他の生徒の名前を知ることができる。即ち保護者は自分の子供と同行して下校したと推測される生徒を特定できるため、子供の帰宅が遅い場合、それらの生徒から下校時の状況についての情報を得ることが可能になる。
【発明を実施するための最良の形態】
【００１３】
以下、添付図面を参照しつつ、本発明を実施するための最良の形態について説明する。図１は、本発明の一実施形態に係る入退出管理システム１００を示す概略構成図である。図１に示すように、本実施形態に係る入退出管理システム１００は、カメラＣおよび人物検知手段Ｓとを有し一定の監視領域内への人物の侵入を検知する画像監視装置１と、非接触型情報読取装置としてのＩＣカードリーダー２と、カメラＣで撮影した画像を記憶する画像情報記憶部３と、ＩＣカードリーダー２で読み取られた個人情報および読み取り時刻とを記憶する入退出情報記憶部４と、個人識別情報としてのＩＤを記憶している個人識別情報記憶部５と、表示手段としてのディスプレイ（図示せず）を有する操作卓６とを備えており、夫々は後述の制御部７に接続されている。また、本実施形態に係る入退出管理システム１００は、通信回線８を介して外部端末としてのパソコン９や携帯電話１０に接続可能である。通信回線８はインターネットの他ＬＡＮやＷＡＮなど種々の形態のものとすることが可能である。
【００１４】
なお、本実施形態に係る入退出管理システム１００は、学校における生徒、教職員、保護者その他学校に出入する人物の入退出の管理に適用されており、画像監視装置１およびＩＣカードリーダー２は校門に、操作卓６および後述のブザー１２は職員室に設置されている。また、携帯電話１０は生徒の父兄や、学校の警備を担当している警備員が所持している。
【００１５】
カメラＣは人物検知手段Ｓのセンサとしても機能しており、人物検知手段ＳはカメラＣにより撮影された画像より人物の像を抽出すると検知信号を出力する。ＩＣカードリーダー２は検知領域内にある非接触型情報記憶装置としての非接触型ＩＣカード１１に記憶されている個人識別情報としてのＩＤを非接触の状態で読み取る。非接触型ＩＣカード１１はデータが記憶されているチップやアンテナが内部に封入されたカードで、外部機器との間を電気的に接続する伝導端子を持たず、電磁波によりＩＣカードリーダー２へチップに記憶されたデータを送信するもので、本実施形態の場合はチップには個人を識別するＩＤのみが記憶されている。画像情報記憶部３には静止画像が記憶されるが、動画を記録するようにしてもよい。個人識別情報記憶部５に記憶されているＩＤは、入退出の認証されている人物のＩＤである。操作卓６はディスプレイの他キーボード（図示せず）とマウス（図示せず）とを備えており、システム全体の管理に使用されるものである。
【００１６】
また、本実施形態に係る入退出管理システム１００は、ＣＰＵと、メモリやハードディスク等の記憶手段と、現時刻および月日を計時する時計機能部とを有する制御部７を備えている。前記記憶手段には以下に述べるような動作をＣＰＵに行わせるためのプログラムが記憶され、当該プログラムが適宜読み出され起動するように構成されている。更に、本実施形態に係る入退出管理システム１００は警報信号に基づいて鳴動するブザー１２を備えている。
【００１７】
次に、斯かる構成を有する入退出管理システム１００の動作について説明する。図２は本実施形態に係る入退出管理システム１００の動作を示すフローチャートである。画像監視装置１は監視領域内を常時監視しており、人物を検出すると検知信号を出力する（２−１）。画像監視装置１から検知信号が出力されるとＩＣカードリーダー２は人物の所持するＩＣカード１１に記憶されているＩＤの読み取りを実行する（２−２）。次に、読み取られたＩＤが個人識別情報記憶部５に認証者のＩＤとして記憶されているＩＤと一致するか否かを判定し（２−３）、一致する場合は当該ＩＤを当該ＩＤの読み取り時刻と関連付けて入退出情報記憶部４に記憶し（２−４）、画像監視装置１による監視領域内の監視動作（２−１）に戻る。
【００１８】
（２−２）で読み取られたＩＤが認証者のＩＤと一致しない場合は、カメラＣにより監視領域内を撮影し（２−５）、撮影された画像を画像情報記憶部３に記憶し（２−６）、警報信号を出力する（２−７）。この警報信号に基づいて注意喚起のためにブザー１２を鳴動させる。次いで当該非認証者のＩＤを当該ＩＤの読み取り時刻と関連付けて入退出情報記憶部４に記憶し（２−８）、画像監視装置１による監視領域内の監視動作（２−１）に戻る。
【００１９】
（２−２）でＩＤを読み取ることができなかった場合、即ちＩＣカードリーダー２がＩＣカード１１よりの電磁波信号を受信することができなかった場合（人物がＩＣカード１１を所持していない場合このようなことになる）はカメラＣにより監視領域内を撮影し（２−９）、撮影された画像を画像情報記憶部３に記憶し（２−１０）、警報信号を出力する。この警報信号に基づいて注意喚起のためにブザー１２を鳴動させる。次いで前記画像を警備員の所持している携帯電話１０と、操作卓６のディスプレイとに出力し（２−１２）、画像監視装置１による監視領域内の監視動作（２−１）に戻る。ここで（２−１２）のように、前記画像が警備員の携帯電話１０と、操作卓６のディスプレイとの双方に出力された場合、警備員は学校内に駐在している時には（２−９）で撮影された画像を操作卓６のディスプレイにより見ることができるため、更に携帯電話１０に出力された画像を確認することは煩雑な作業となる。従って、（２−１２）において、前記画像を警備員の携帯電話１０と、操作卓６のディスプレイとの双方に出力する場合と、操作卓６のディスプレイにのみ出力する場合とを任意に選択できるようにしてもよい。
【００２０】
また、本実施形態に係る入退出管理システム１００により、学校に通う生徒の保護者が、携帯電話１０を用いて自分の子供の入退出時刻を知ることにより子供が登校の途上にあるか、校内にいるか、或いは下校の途上にあるかを推測することができる。図３は、保護者が携帯電話１０から子供の入退出時刻を知る場合の本実施形態に係る入退出管理システム１００の動作を示すフローチャートである。制御部７は保護者の携帯電話１０より保護者の子供のＩＤを受信する（３−１）。制御部７は入退出情報記憶部４より当該ＩＤと、当該ＩＤと関連付けて記憶されている読み取り時刻とを抽出する（３−２）。そして当該読み取り時刻即ち保護者の子供の入退出時刻を携帯電話１０に送信する（３−３）。
【００２１】
図４は特定の生徒の入退出時刻が表示されている携帯電話１０の画面の例を示す。図４はその生徒のＩＤの読み取り時刻が８時１５分と１６時３０分であることを示している。この時刻の情報より保護者は、子供が８時１５分に登校し、１６時３０分に下校しており、現在は下校の途中であると推測することができる。
【００２２】
更に、本実施形態に係る入退出管理システム１００により、保護者は携帯電話１０を用いて、自分の子供と同行して下校したと推測される生徒の氏名を知ることができる。即ち、子供の帰宅が遅い場合誰と一緒に帰宅したかが判れば安心であり、子供の行き先を追跡することも容易になる。図５は、保護者が携帯電話１０により自分の子供と同行して下校したと推測される生徒の氏名を知る場合の本実施形態に係る入退出管理システム１００の動作を示すフローチャートである。ここで、個人識別情報記憶部５にはＩＤに加えて個人識別情報としての氏名、性別、所属クラス等がＩＤと関連付けて記憶されている。制御部７は保護者の携帯電話１０より保護者の子供のＩＤを受信する（５−１）。次いで制御部７は入退出情報記憶部４より当該ＩＤおよび当該ＩＤと関連付けて記憶されている読み取り時刻を抽出する（５−２）。そして、入退出情報記憶部４に記憶されているＩＤであって、それと関連付けて記憶されている時刻が前記抽出した読み取り時刻の前後の一定の範囲内にあるＩＤを検索し（５−３）、個人識別情報記憶部５に当該ＩＤと関連付けて記憶されている生徒氏名を保護者の携帯電話１０に送信する（５−４）。
【００２３】
図６は各生徒のＩＤの読み取り時間と生徒氏名が表示されている携帯電話の画面の例を示す。図６は、ＩＤの読み取り時間が保護者の子供（山田××）のＩＤの読み取り時間（１７：００：００）の前後５秒以内（この時間は５秒に限るものではなく、任意に変更可能である）にある生徒の氏名とＩＤの読み取り時間とが携帯電話１０の表示部に表示されている例を示す。保護者はこれにより表示されている生徒が自分の子供と同行して下校したものと推定することができる。なお、図５のフローチャートで表された動作によると、登校時と下校時に同行していたと推測される生徒の氏名がそれぞれ求められるが、図６では、下校時の場合について表示している。
【００２４】
本実施形態に係る入退出管理システム１００において、画像監視装置１およびＩＣカードリーダー２は校門に設置されているが、設置箇所は一箇所に限るものではなく、学校に出入口が複数ある場合は、画像監視装置１およびＩＣカードリーダー２も夫々の箇所に複数組設置される。この場合は複数組の画像監視装置１およびＩＣカードリーダー２は一つの制御部７に接続され、複数のＩＣカードリーダー２が読み取ったＩＤは一つの入退出情報記憶部４に、読み取り時刻、設置箇所と関連付けて記憶される。
【００２５】
従って前記のように保護者が自分の子供の入退出時刻を知る動作を行う場合も、前記一つの入退出情報記憶部を、画像監視装置１およびＩＣカードリーダー２の設置箇所が一箇所の場合の入退出情報記憶部４と同様に扱うことができる。
【００２６】
また、前記のように保護者が携帯電話１０により自分の子供と同行して下校したと推測される生徒の氏名を知る動作を行う場合は、当該保護者の子供のＩＤが読み取られた設置場所と同じ設置場所においてＩＤが読み取られている他の生徒のＩＤについて、読み取り時間の条件を満たしているものを入退出情報記憶部から抽出するようにする。これによって保護者は、画像監視装置１およびＩＣカードリーダー２の設置箇所が一箇所の場合と同様に自分の子供と同行して下校したと推測される他の生徒の氏名を知ることができる。
【００２７】
本実施形態に係る入退出管理システム１００において、画像監視装置１およびＩＣカードリーダー２は校門に各一つずつ設置されているが、校門の幅が広い場合は、人物検知手段Ｓの監視領域に死角が生じたり、ＩＣカード１１とＩＣカードリーダー２との間隔がＩＣカード１１の交信距離を超えたりして入退出の管理が適切に行われなくなる恐れがある。また、生徒同士が接近して校門を通過した場合、ＩＣカードリーダー２は複数のＩＣカード１１に記憶されているＩＤを夫々読み取ることができない場合がある。これらのような場合は、画像監視装置１およびＩＣカードリーダー２を一箇所に二組設置すればよい。ここで、二つのＩＣカードリーダー２が夫々同じＩＣカード１１のＩＤを読み取った場合は、入退出情報記憶部４にＩＤを記憶させるときに、何れか一のＩＤのみを記憶させるようにする。
【００２８】
また、本実施形態に係る入退出管理システム１００は学校における入退出の管理に適用されているが、適用施設はこれに限るものではなく、幼稚園、保育園その他の施設においても利用できるものである。
【図面の簡単な説明】
【００２９】
【図１】本発明の一実施形態に係る入退出管理システムを示す概略構成図である。
【図２】上記実施形態に係る入退出管理システムの動作を示すフローチャートである。
【図３】保護者が携帯電話により子供の入退出時刻を知る場合の上記実施形態に係る入退出管理システムの動作を示すフローチャートである。
【図４】特定の生徒の入退出時刻が表示されている携帯電話の画面の例を示す図である。
【図５】保護者が携帯電話により自分の子供と同行して下校したと推測される生徒の氏名を知る場合の上記実施形態に係る入退出管理システムの動作を示すフローチャートである。
【図６】各生徒のＩＤの読み取り時間と生徒氏名とが表示されている携帯電話の画面の例を示す図である。
【符号の説明】
【００３０】
１  画像監視装置
２  非接触型情報読取装置
３  画像情報記憶部
４  入退出情報記憶部
５  個人識別情報記憶部
６  操作卓
８  通信回線
９、１０  外部端末
１１  非接触型情報記憶装置
１００  入退出管理システム
Ｓ  人物検知手段
Ｃ  カメラ
【図１】
2005085130.tif 000003
【図２】
2005085130.tif 000004
【図３】
2005085130.tif 000005
【図４】
2005085130.tif 000006
【図５】
2005085130.tif 000007
【図６】
2005085130.tif 000008